(57)【特許請求の範囲】
【請求項１】
柱構築予定位置毎に、構築予定の梁の下端位置に合わせた高さを有する梁支持部材を夫々立設し、該梁支持部材に、囲い材用の第一囲い材片を有する梁の所定数を架設載置し、夫々の梁支持部材において、載置された梁の接合端部を相互に接合固定して接合部を形成すると共に、前記梁の接合部と前記梁支持部材とを連結固定し、前記梁の接合部に、次階用の梁支持部材を取付ける為の連結部材を連結固定し、次に前記梁支持部材上に載置された隣り合う梁の第一囲い材片に、構築予定の柱の形状に合わせた形状の囲い材を構成するように、第二囲い材片の両端部を夫々連結固定し、続いて前記柱構築予定位置に所定の柱用構造鉄筋を配筋して、梁接合部分以外に所定の柱構築用の型枠を仮設し、その後、躯体コンクリートを打設して、前記梁の接合部を柱コンクリー内に埋設することを特徴とする柱と梁との構築方法。
【請求項２】
梁は、ウエブの上下にフランジを連設してなる鋼材からなり、該梁の接合端部の上下フランジを先端先細となるように夫々切り欠いて切り欠き縁を形成し、前記梁相互の接合固定は、隣接する梁の前記切り欠き縁を互いに対向して固定すると共に、隣接する梁のウエブに平面Ｌ字状の接続板を固定し、隣接する梁の下フランジの上面、上フランジの下面に夫々横接続板を固定して行う請求項１記載の柱と梁との構築方法。
【請求項３】
隣接する梁に取り付けて使用する部材であって、該梁を接合する柱の外周に沿った平面形状を有する板状の基体を第１囲い材片、第２囲い材片とから構成し、該第１囲い材片は前記梁に固定することができ、前記第２囲い材片は前記第１囲い材片の端部間を連結できる構成とし、前記基体の内側に、コンクリートに定着する為の定着部材を設置し、前記基体は前記梁の高さと同等の高さを有することを特徴とする囲い材。
【発明の詳細な説明】
【０００１】
【産業上の利用分野】
この発明は、鉄筋コンクリート構造等の柱に、鉄骨構造の梁を架設結合することを特徴とする柱と梁との構築方法及びこの構築方法に使用する囲い材に関する。
【０００２】
【従来の技術】
従来、一般的には、柱及び梁をいずれも鉄骨構造物とし、あるいは柱及び梁をいずれも鉄筋コンクリート構造物とするような、柱と梁の両方を同一の種類の構造物としていた。
【０００３】
【発明が解決しようとする課題】
前記従来の構造において、梁の部分は自重が曲げに与える影響が大きく、また鉄骨構造で十分な強度を確保できる等の理由により、自重が軽い鉄骨構造とすることが望ましかった。また、柱の部分は圧縮等の強度を考慮すれば鉄筋コンクリート構造物が望ましかった。両構造の長所を取り入れ、鉄骨構造と鉄筋コンクリート構造との両方の構造を混在させる場合には、梁及び柱の材料が本来有している強度を十分に発揮することができず、接合部分で梁と柱との間で力が有効に伝わりにくい問題点があった。また、梁を鉄骨とする構造を採用する場合には、柱と梁との接合部分を柱の外に設ける構造とするしかなく、この場合には、接合部分の本締めまで該接合部分を露出させておく必要があり、接合部分周辺で、床の構築が遅れて床に開口部を生じる等の問題点があった。
【０００４】
【課題を解決するための手段】
然るにこの発明は、柱架設予定の梁を接合固定して接合部分を形成し、該接合部分を柱コンクリート内に埋設したので、前記問題点を解決した。
【０００６】
即ちこの発明は、柱構築予定位置毎に、構築予定の梁の下端位置に合わせた高さを有する梁支持部材を夫々立設し、該梁支持部材に、囲い材用の第一囲い材片を有する梁の所定数を架設載置し、夫々の梁支持部材において、載置された梁の接合端部を相互に接合固定して接合部を形成すると共に、前記梁の接合部と前記梁支持部材とを連結固定し、前記梁の接合部に、次階用の梁支持部材を取付ける為の連結部材を連結固定し、次に前記梁支持部材上に載置された隣り合う梁の第一囲い材片に、構築予定の柱の形状に合わせた形状の囲い材を構成するように、第二囲い材片の両端部を夫々連結固定し、続いて前記柱構築予定位置に所定の柱用構造鉄筋を配筋して、梁接合部分以外に所定の柱構築用の型枠を仮設し、その後、躯体コンクリートを打設して、前記梁の接合部を柱コンクリー内に埋設することを特徴とする柱と梁との構築方法である。
【０００７】
また、前記において、梁は、ウエブの上下にフランジを連設してなる鋼材からなり、該梁の接合端部の上下フランジを先端先細となるように夫々切り欠いて切り欠き縁を形成し、前記梁相互の接合固定は、隣接する梁の前記切り欠き縁を互いに対応して固定すると共に、隣接する梁のウエブに平面Ｌ字状の接続板を固定し、隣接する梁の下フランジの上面、上フランジの下面に夫々横接続板を固定して行う柱と梁との構築方法である。
【０００８】
また、他の発明は、隣接する梁に取り付けて使用する部材であって、該梁を接合する柱の外周に沿った平面形状を有する板状の基体を第１囲い材片、第２囲い材片とから構成し、該第１囲い材片は前記梁に固定することができ、前記第２囲い材片は前記第１囲い材片の端部間を連結できる構成とし、前記基体の内側に、コンクリートに定着する為の定着部材を設置し、前記基体は前記梁の高さと同等の高さを有することを特徴とする囲い材である。
【０００９】
【作用】
梁支持部材に梁を架設したので、梁の接合端部をコンクリート打設後まで、支持できる。また、梁の上に連結部材を設置したので、次階用の梁支持部材を連結できる。また、梁に囲い材を取り付けたので、梁の接合を補助すると共に、囲い材を打ち込み型枠として利用できる。また、囲い材に定着部材を設けたので、囲い材及び囲い材に連結した梁はコンクリート柱内に強固に定着される。
【００１０】
【実施例１】
図１乃至図１０に基づきこの発明に関連する実施例を説明する。
【００１１】
（１）  この発明の実施例に使用する梁の構成について説明する。
【００１２】
Ｈ型鋼からなる基体１の接合端部２に位置する上フランジ３及び下フランジ４の両側を先端先細となるように斜（４５度程度）に切り欠いて、上下フランジ３、４のその切り欠いた部分を夫々切欠縁５、６とする。前記基体１の接合端部２の上下フランジ３、４に連結用のボルト孔１１、１１、１２、１２を夫々穿設する。また、前記基体１のウエブ７で、柱形成用型枠を連結する為のボルト孔１３、１３を縦に並列に穿設する。また、前記基体のウエブ７で、先端８側にＬ字接続板を取り付ける為のボルト孔１４、１４を穿設する。
【００１３】
以上のようにして梁１５を構成する（図８（ａ）（ｂ））。前記における梁１５はウエブ７に、肉厚を厚くするように、補強板９、９（図８（ａ）（ｂ）で鎖線図示）を固着することもできる。
【００１４】
（２）  次に、この発明の実施例に使用する梁支持部材及び連結部材の構成について説明する。
【００１５】
所定高さ（設置される梁の下端位置に合わせた高さ）のＨ型鋼を縦に配置してなる基部１７の上面に、前記梁１５の接合端部２、２の下面（下フランジ）を支持できる４つの支持部２１、２１を有する平面略十字状の支持板２０、２０を固着する。前記支持板２０の支持部２１には、梁に穿設した前記ボルト孔１２、１２に対応したボルト孔２２、２２が穿設してある。前記基部１７の下端部に、連結部材と連結する為のボルト孔２４を穿設して、梁支持部材２５を構成する（図９）。
【００１６】
また、前記基部１７と同一断面形状の基部２６の下面に、前記支持板と同一の支持板２０を固着する。前記基部２６の上端部に上階の梁支持部材２５と連結する為のボルト孔２７を穿設して連結部材２８を構成する（図９）。
【００１７】
（３）  この発明に使用する囲い材について説明する。
【００１８】
柱形成用の型枠位置（柱の外周の形状）に合わせて、平面Ｌ状の角板２９の外側縁２９ａ、２９ａにそれぞれ同一高さＨの平板３０、３０を連設して平面Ｌ字状の基材３１を形成する。前記基材３１の平板３０は角板２９より材厚が厚く形成され、また基材３１の高さＨは、前記１５梁の上下フランジ３、４間に嵌挿できる長さ（梁１５のウエブ７より若干短い長さ）で形成されている。また、前記基材３１の下端部内面に、該下縁に沿って、断面Ｌ字状の下縁押え材３２を連結固着する。
【００１９】
次に、前記基材３１の平板３０、３０の内面３０ａに、水平方向の凸条３５、３５を並列して形成した板からなる定着部材３３を直角に突設する。前記における定着部材３３は直角ではなく、所定角度に傾斜させて平板３０に突設することもできる（図示していない）。また、前記定着部材３３の中間部は前記下縁押え材３２に固着され、下端３４が下縁押え材３２より１／２Ｈ程度突出している。同様に、定着部材３３の上端３４ａは、前記基材３１の上端より上方に１／２Ｈ程度突出している。また、前記基材３１の平板３０、３０の端縁３０ｂ、３０ｂに、前記梁１５の側面（ウエブ７）と連結する為の取付板（鍔）３６、３６を固着する。前記取付板３６は、平板３０のほぼ上下全長に亘る（高さＨ）細長板であり、前記梁１５のボルト孔１３、１３に対応したボルト孔３７、３７を上下に並列して穿設して、囲い材３８を構成する（図１０）。
【００２０】
（４）次に、この発明の構築方法を説明する。
【００２１】
▲１▼  既設階スラブ３９上の柱設置予定位置４０、４０に梁支持部材２５、２５を立設し（図２）、梁支持部材２５の下端部を下階の連結部材２８の上端部（あるいは基礎）に連結固定する（図１（ａ）、図３（ａ））。この際、梁支持部材２５のボルト孔２４と下階側の連結部材２８のボルト孔２７とを継手板を介してボルトナットで締結固定する。
【００２２】
▲２▼  次に、梁支持部材２５の支持板２０の各支持部２１、２１に、梁１５、１５の接合端部２を載置する。この際、４本の梁１５はその切欠縁５、５、６、６が互いに対向している（図１（ｂ）、図３（ｂ））。ここで、対向した切欠縁５、６は所定の間隙を設けて、あるいは当接した状態で載置される。
【００２３】
▲３▼  隣接する梁１５の下フランジ４、８を接合するための平面Ｌ字状の横接続板５０、５０を、梁１５、１５の下フランジ４、４の上面に当接する。前記横接続板５０、５０は、下フランジ４、４のボルト孔１２、１２に対応したボルト孔５１、５１を穿設してある。次に支持板２０のボルト孔２２、２２と、梁１５の下フランジ４のボルト孔１２、１２と、横補強板５０のボルト孔５１とにボルトを挿通してナットを螺合締結し、支持板２０と横接続板５０とで下フランジ４を挟むようにして接合する。
【００２４】
▲４▼  次に、隣接する梁１５、１５のウエブ７、７に、平面Ｌ字型で、ウエブ７のボルト孔１４に対応したボルト孔４２を穿設したＬ字接続板４１を当接配置し、連通したボルト孔１４、４２にボルトを挿通しナットを締結して、各梁１５、１５のウエブ７とＬ字接続板４１、４１とを一体に連結固定する（図１（ｃ）、図３（ｂ））。
【００２５】
▲５▼  次に、前記上フランジ３、３上で、前記梁支持部材２５と同軸に、連結部材２８を載置する。前記横接続板５０、５０と同様の形状で、梁１５、１５の上フランジ３、３のボルト孔１１、１１に対応したボルト孔５３、５３を穿設した横接続板５２、５２を、前記上フランジ３、３の下面に当接する。続いて、上フランジ３のボルト孔１１と連結部材２８の支持板２０ボルト孔２２と、横接続板５２のボルト孔５３とにボルトを挿通してナットを螺合締結し、支持板２０と横接続板５２とで上フランジ３を挟むようにして接合し、梁１５、１５と連結部材２８とを一体に連結する。以上のようにして、交わる梁１５、１５は一体に連結される。
【００２６】
▲６▼  続いて、隣接する梁１５、１５のウエブ７、７間の所定位置に（囲い材３８が構築予定の柱の外周に沿うように）囲い材３８、３８を配置し、ウエブ７のボルト孔１３と、囲い材３８の取付板３６のボルト孔３７とにボルトを挿通し、ナットを螺合締結する（図５（ａ）、図５（ｂ）、図６）。
【００２７】
▲７▼  次に所定位置に柱主鉄筋４４、４４を配筋し、該柱主鉄筋４４、４４に帯鉄筋４５、４５を配筋し互いに結束する（図１（ｄ）、図６、図７）。この際、前記囲い材３８の定着部材３３の上端３４ａ、下端３４は夫々帯鉄筋４５、４５の内側に位置している（図７）。この定着部材３３の上下端部分により、該部での柱と梁との間の応力の伝達を円滑にすることもできる。
【００２８】
▲８▼  次に、所定の柱型枠４６及びその他の必要な型枠を仮設してコンクリートを打設する。この際、各梁１５には囲い材３８を設けたので、該部に別途型枠を構築する手間を省くことができる。この際、囲い材３８の下縁押え材３２により、囲い材３８の下縁と柱型枠４６の上縁との当接部分でのコンクリートの漏れを防止できる。
【００２９】
▲９▼  コンクリートの固化後、柱型枠４６その他の仮設した型枠を取り外せば、各梁１５の接合部は柱内に埋設され、鉄筋コンクリート製の柱と鉄骨製の梁１５とが連結して構築される（図示していない）。前記のように梁１５、１５を接合した場合には、強固に接合されるので、柱の断面積を必要以上に大きく取る必要がない。
【００３０】
前記における各部材の連結に使用したボルトナットは、ハイテンションボルトとすることが望ましい。
【００３１】
（５）他の実施例
前記実施例において、梁支持部材２５と梁１５、梁１５と連結部材２８の各連結に、ボルトナットに代え、またはボルトナットに加えて溶接をすることもできる。
【００３２】
また、前記実施例において、梁１５が４本連結される柱で説明したが、２本、３本の場合でも、同様に可能である。この場合には、Ｌ字接続板４１に加えて平板状の接続板、平面Ｌ字状の囲い材３８に加えて、柱の外周形状に対応させて平面コ字状の囲い材を使用し、またＬ字状の横接続板５０、５２に加えて短冊形状の横接続板を、夫々使用する（図示していない）。
【００３３】
また、前記実施例に使用する梁１５はＨ型鋼としたが、梁に使用できる所定の断面を有する鋼材であれば、その断面形状は問わない。
【００３４】
また、前記実施例における梁支持部材２５及び連結部材２８の支持板２０を十字型としたが、梁１５を支持できる支持部２１を有すれば、四角形、八角形、円形等他の形状でも可能である。また、前記実施例における梁支持部材２５及び連結部材２８の基部１７、２６は、梁１５を支持してコンクリートの打設後まで梁１５の接合部を所定位置に保つことができれば、他の構造でも可能であり、他の型鋼等を種々選択して使用できる（図示していない）。
【００３５】
また、前記実施例における囲い材３８の定着部材は凸条３５を形成したが、コンクリートとの定着力を増すことができれば他の構造とすることもでき、例えば、凹条を設け、突起を突設し、鉄筋を溶接し、あるいは表面を粗く仕上げる等でも可能である。また、定着部材３３の先端に、定着部材３３と略直角に定着補強板５４、５４を固着することもできる（図１０鎖線図示５４、５４）、また、定着部材３３の上下端３４、３４ａは１／２Ｈ程度突出させたが、補強効果と扱い易さを考慮して１／４Ｈ乃至１Ｈ程度とすることもでき、更に梁１５、１５の上下で所定強度を発揮できるように柱主鉄筋４４を増やせば、上下端３４、３４ａは基材３１内に納めることもできる（図示していない）。また、定着部材３３の形状、設置数も所望の定着力により種々選択できる。
【００３６】
【実施例２】
図１１乃至図１５に基づきこの発明の他の実施例を説明する。この実施例は、囲い材の一部を予め梁に固定した実施例である。
【００３７】
（１）この発明の実施例に使用する梁の構成について説明する。
【００３８】
実施例１と同様にＨ型鋼からなる基体１の接合端部２の上下フランジ３、４を先端先細となるように斜に切り欠いて、該縁を切欠縁５、６とする。接合端部２の上下フランジ３、４に連結用のボルト孔１１、１１、１２、１２を夫々穿設する。また、基体１のウエブ７の先端８側に連結用のボルト孔１４、１４を穿設する。
【００３９】
また、柱形成用の型枠位置に対応して、基体１のウエブ７の両側に囲い材片５８、５８を固着する。前記囲い材片５８の先端部に、他の囲い材片６２連結用のボルト孔６３、６３を上下方向に並列して穿設してある。囲い材片５８は上下端６０、６０及び先端（横方向）６１はいずれも上下フランジ３、４より突出して形成されており、上下フランジ３、４及びウエブ７の両方に固着されている。以上のようにして、梁５６を構成する（図１１）。
【００４０】
前記実施例における梁５６の囲い材片５８以外の他の構成は実施例１と同様である。
【００４１】
（２）次にこの発明の実施例に使用する梁支持部材及び連結部材の構成について説明する。
【００４２】
実施例１では基部１７、２６にＨ型鋼を使用しているが、この実施例では、Ｌ型鋼を２つ使用して断面十字状に形成されている。他の構成は実施例１と同様として、梁支持部材２５、連結部材２８を構成する（図１２、図９同様）。
【００４３】
前記実施例における梁支持部材２５及び連結部材２８の他の構成は実施例１と同様である。
【００４４】
（３）この発明に使用する囲い材について説明する。
【００４５】
この実施例の囲い材６６は、前記のように梁５６に固定した囲い材片５８と、隣接する梁５６の囲い材片５８、５８の端部間を連結する囲い材片６２、６２とから構成される。囲い材片５８と囲い材片６２とにより柱型枠の一部を形成する。
【００４６】
前記囲い材片６２は、平面略Ｌ字状で、両端部に、前記囲い材片５８のボルト孔５９、５９と対応するボルト孔６３、６３が、縦方向に並列して穿設されている。また、囲い材片６２の角部６４の内側６４ａに、補強及びコンクリートとの定着力強化の為に、必要本数の補強杆６５の両端部を固着する（図１３）。前記補強杆６５は、通常、囲い材片６２の上部及び下部に設けるが、設置位置及び本数は必要に応じて適宜選択して使用する。
【００４７】
前記実施例において、囲い材片５８、６４には実施例１の下縁押え材３２、３２（図１０）を使用することもできる（図示していない）。また、囲い材片５８、６４に定着部材３３、定着補強板５４等を、固着することもできる（図示していない）。その他、囲い材片５８、６２の内面に凹凸を形成する場合、内面を粗く形成する場合など囲い材の他の構成は実施例１と同様である。
【００４８】
（４）次に、この発明の構築方法を説明する。
【００４９】
▲１▼  実施例１と同様に、既設階スラブ３９上の柱設置４０、４０も梁支持部材２５、２５を立設し（図２同様）、梁支持部材２５の下端部を下階の連結部材２８の上端部（あるいは基礎）に、継手板を介してボルトナット（図中省略してある）で連結固定する（図１（ａ）同様、図１２）。
【００５０】
▲２▼  次に、梁支持部材２５の支持板２０の各支持部に梁５８、５８の接合端部２を載置し、切欠縁５、６を互いに、所定間隙を開けて対向させる（図１（ｂ）同様）。実施例１と同様に、切欠縁５、６は当接して対向させてもよい。
【００５１】
▲３▼  次に、実施例１と同様に、隣接する梁５６、５６の下フランジ４、４を、支持板２０と横接続板５０とで挟んで、ボルトナット（図中省略してある）で接合する。
【００５２】
▲４▼  次に、実施例１と同様に、隣接する梁５６、５６のウエブ７をＬ字接続板４１、４１を介装して、ボルトナットで接合する（図１（ｃ）同様）。
【００５３】
▲５▼  次に、実施例１と同様に、上フランジ３、３上に、梁支持部材２５と同軸に、連結部材２８を載置し、梁５６、５６の上フランジ３、３を連結部材２８の支持板２０と横接続板５２とで挟み、ボルトナット（図中省略してある）で接合する。
【００５４】
▲６▼  続いて、隣接する梁５６の囲い材片５８、５８は所定間隙６８を開けて配置されており、該間隙６８を囲い材片６２で塞ぐように、囲い材片５８に囲い材片６２を重ね（図１３）、ボルト孔５９、６３間に、ボルト６９を挿通してナット７０で螺合締結して、囲い材片５８、６２を接合する（図１４、１５）。囲い材片５８、６２は、構築予定の柱型枠の一部を成す。
【００５５】
▲７▼  次に、実施例１と同様に、所定位置に柱主鉄筋４４、４４を帯鉄筋４５、４５を配筋して互いに結束連結する（図１（ｄ）同様）。
【００５６】
▲８▼  次に、実施例１と同様に、柱型枠４６及びその他必要な型枠を仮設してコンクリートを打設する。
【００５７】
▲９▼  コンクリートの固化後、実施例１と同様に、柱型枠４６その他不要な型枠を取り外せば、、各梁の接合部は柱内に埋設され、鉄筋コンクリート製の柱に鉄骨梁が連結した構造が構築される。
【００５８】
（４）他の実施例
前記実施例において、囲い材片６２を取付けた後に柱主鉄筋等を配筋したが、柱主鉄筋等を配筋した後に、間隙６８を塞ぐように、囲い材片６２を取付けることもできる。
【００５９】
また、前記実施例において、囲い材片５８、６２を連結したボルトナット６９、７０、その他のボルトナット、補強杆６５などにより柱コンクリートとの定着力を強化したが、これに代えてあるいはこれに追加して、他の突起物（定着部材３３等）を柱コンクリート内に設けて定着力を高めることもできる（図示していない）。
【００６０】
また、前記実施例において、４本の梁５６が交わる構造の構築について説明したが、２本、３本など他の本数梁が交わる構造の構築は、前記実施例１と同様である。その他、他の実施例は実施例１と同様である。
【００６１】
【発明の効果】
この発明は、架設予定の梁を相互に接合固定して、梁の接合部を柱コンクリート内に埋設したので、鉄骨梁と鉄筋コンクリート柱とが強固に結合した構造を構築できる。
【００６２】
また、梁支持部材に梁を架設連結し、連結部材を梁に連結したので、鉄骨製の梁をコンクリート打設後まで所定位置に支持できると共に、上階と下階の梁支持部材を互いに連結できるので、鉄筋コンクリート柱と鉄骨梁とが連結した構造物を容易に構築できる効果がある。また、囲い材を設けたので、梁連結部分に位置する柱主鉄筋に帯鉄筋を不要にできると共に、梁連結部分での柱型枠の構築を不要にできるので、作業の効率化をはかることができる。
【００６３】
また、この発明の方法によれば、１階毎に構築するので、先行する高所の足場等仮設作業が不要であるので作業上安全であり、また各階毎に同一作業の繰り返しにより作業ができるので、建造物全体を効率良く構築できる効果がある。
【図面の簡単な説明】
【図１】（ａ）乃至（ｄ）は、この発明の実施例の構築方法を説明する一部を破切した側面図である。
【図２】この発明の構築予定位置に梁支持部材を載置した状態を示す平面図である。
【図３】この発明の構築途中の平面図で、図１（ａ）の状態を表す。
【図４】同じく平面図で、図１（ｂ）の状態を表す。
【図５】この発明の構築途中の平面図で、（ａ）は囲い材を取り付け前、（ｂ）は囲い材を取り付け後を夫々表す。
【図６】この発明の構築途中で、図１（ｄ）のＡ−Ａ線における拡大断面図である。
【図７】図６のＢ−Ｂ線における断面図である。
【図８】この発明の実施例に使用する梁で、（ａ）は正面図、（ｂ）は（ａ）のＣ−Ｃ線における断面図である。
【図９】この発明の実施例に使用する梁支持部材及び連結部材の斜視図である。
【図１０】この発明の実施例に使用する囲い材の斜視図である。
【図１１】この発明の実施例２に使用する梁で、（ａ）は正面図、（ｂ）は右側面図、（ｃ）は平面図である。
【図１２】この発明の実施例２で、構築途中の平面図で、図１（ａ）に相当する状態を表す。
【図１３】同じく構築途中の横断面図で、第二囲い材片を取付ける途中を表す。
【図１４】同じく構築途中の横断面図で、図１（ｃ）に相当する状態を表す。
【図１５】図１４のＤ−Ｄ線における断面図である。
【符号の説明】
２  接合端部（梁）
３  上フランジ
４  下フランジ
５  切欠縁（上フランジ）
６  切欠縁（下フランジ）
７  ウエブ
１５  梁
１７  基部（梁支持部材）
２０  支持板
２１  支持部
２５  梁支持部材
２６  基部（連結部材）
２８  連結部材
２９  角板
３０  平板
３１  基材
３３  定着部材
３５  凸条
３６  取付板
３８  囲い材
３９  既設階スラブ
４０  柱設置予定位置
４４  柱主鉄筋
４５  帯鉄筋
５６  梁
５８  囲い材片（第一囲い材片）
６２  囲い材片（第二囲い材片）
６６  囲い材
【図１】
0003749935.tif 000002
【図２】
0003749935.tif 000003
【図３】
0003749935.tif 000004
【図４】
0003749935.tif 000005
【図５】
0003749935.tif 000006
【図６】
0003749935.tif 000007
【図７】
0003749935.tif 000008
【図８】
0003749935.tif 000009
【図９】
0003749935.tif 000010
【図１０】
0003749935.tif 000011
【図１１】
0003749935.tif 000012
【図１２】
0003749935.tif 000013
【図１３】
0003749935.tif 000014
【図１４】
0003749935.tif 000015
【図１５】
0003749935.tif 000016